(57)【特許請求の範囲】
【請求項１】
原稿を載置する原稿台に平行に往復移動可能なキャリッジであって、
前記原稿を照射する光源と、
原稿面で反射あるいは原稿を透過した光を反射する第１のミラーと、
前記第１のミラーの反射光を集光する第１のレンズと、
原稿面で反射あるいは原稿を透過した光を前記第１のミラーとは異なる光路で反射する第２のミラーと、
前記第１のレンズとは異なる倍率を有し、前記第２のミラーの反射光を集光する第２のレンズと、
前記第１のレンズまたは前記第２のレンズに集光された光を電気信号に変換する光センサと、
前記光源、前記ミラー、前記第１のレンズ、前記第２のレンズおよび前記光センサを収容するハウジングと、
前記光センサに集光するレンズを前記第１のレンズまたは前記第２のレンズに切り換える切換手段と、
前記光センサの前記ハウジングに対する位置を調整する光センサ調整手段と、
前記第１のレンズまたは前記第２のレンズの前記ハウジングに対する位置を調整するレンズ調整手段と、
を備えることを特徴とするキャリッジ。
【請求項２】
前記第１のミラーまたは前記第２のミラーは、前記ハウジングで移動可能な可動ミラーを有することを特徴とする請求項１記載のキャリッジ。
【請求項３】
前記第１のレンズおよび前記第２のレンズの一方または両方は、前記光センサに集束される光の焦点を調整する焦点調整手段を有することを特徴とする請求項１または２記載のキャリッジ。
【請求項４】
請求項１、２または３記載のキャリッジを備えることを特徴とする画像読取装置。
【請求項５】
原稿を照射する光源と、原稿面で反射あるいは原稿を透過した光を反射する第１のミラーと、前記第１のミラーの反射光を集光する第１のレンズと、原稿面で反射あるいは原稿を透過した光を前記第１のミラーとは異なる光路で反射する第２のミラーと、前記第１のレンズとは異なる倍率を有し前記第２のミラーの反射光を集光する第２のレンズと、前記第１のレンズまたは前記第２のレンズに集光された光を電気信号に変換する光センサと、前記光源、前記ミラー、前記第１のレンズ、前記第２のレンズおよび前記光センサを収容するハウジングとを備え、前記原稿を載置する原稿台に平行に往復移動可能なキャリッジを調整する方法であって、
前記光センサの前記ハウジングに対する位置を調整する工程と、
前記光センサに集光するレンズを前記第１のレンズまたは前記第２のレンズに切り換える工程と、
前記第１のレンズまたは前記第２のレンズの前記ハウジングに対する位置を調整する工程と、
を含むことを特徴とするキャリッジの調整方法。
【請求項６】
前記光センサの前記ハウジングに対する位置を調整する工程の前に、前記第１のレンズまたは前記第２のレンズのいずれか一方の前記光センサに集束される光の焦点を調整する工程を含むことを特徴とする請求項５記載のキャリッジの調整方法。
【請求項７】
前記第１のレンズまたは前記第２のレンズの前記ハウジングに対する位置を調整する工程の前に、前記第１のレンズまたは前記第２のレンズのいずれか他方の前記光センサに集束される光の焦点を調整する工程を含むことを特徴とする請求項６記載のキャリッジの調整方法。
【発明の詳細な説明】
【０００１】
【発明の属する技術分野】
本発明は、キャリッジおよびその調整方法に関し、特に原稿を載置する原稿台に平行に往復移動可能なキャリッジおよびその調整方法に関する。
【０００２】
【従来の技術】
従来より、画像や文字などの原稿を読取る画像読取装置として、例えば箱型の筐体の上面にガラス等の透明板からなる原稿台が設けられているフラットベッド型の画像読取装置が知られている。筐体の内部には、駆動装置により原稿台に平行に移動するキャリッジが設けられ、キャリッジには紙などの不透明な原稿を読取るための反射原稿用の光源と、多数の光電変換素子を並べたラインセンサとが搭載されている。キャリッジの光源の照射光は原稿台上の原稿表面で反射され、集光レンズによりラインセンサに集光されるようになっている。
【０００３】
原稿を読取るときは、原稿台に置かれた原稿に光源から光を照射し、原稿面の反射光を集光レンズによりラインセンサに集光し、キャリッジをラインセンサの素子の配列方向と垂直、かつ原稿面と平行に移動させつつ原稿の濃淡を検出して電気信号に変換する。このような画像読取装置においては、小型のラインセンサにより広い範囲の原稿を高解像度で読取り、かつ装置全体を小型にするため、原稿面の反射光をキャリッジに設けられた複数のミラーによりさらに反射させ、集光レンズに導くことにより光路長を大きくするのが一般的である。
【０００４】
また、最近では原稿台の上方に光源を設け、この光源から照射され原稿を透過した光をキャリッジのラインセンサで読取ることにより、フィルムなどの透過原稿の読取も可能となっている。このような反射原稿、透過原稿両用の画像読取装置においては、反射原稿用の画像読取装置に透過原稿用の光源を追加して搭載するのが一般的である。
【０００５】
【発明が解決しようとする課題】
ところが、反射原稿、透過原稿両用の画像読取装置においては、一般に反射原稿用の画像読み取り装置に透過原稿用の光源を追加して搭載するため、キャリッジの集光レンズの倍率は反射原稿に合わせた解像度で設定されている。一般に透過原稿は反射原稿よりも密な画像情報を有しているため、反射原稿の画像情報を再現するのに充分な解像度で読取った場合においても、透過原稿の画像情報を再現するのには解像度が不足することがある。したがって、透過原稿の画像情報を再現するためには、反射原稿の画像情報を再現するときよりも高解像度で原稿を読取る必要がある。
【０００６】
透過原稿を反射原稿よりも高解像度で読取るため、キャリッジ内に倍率の異なる２個の集光レンズを備え、ラインセンサに集光する集光レンズを切り換えることにより異なる倍率の画像をラインセンサに結像させることが考えられる。この場合、高倍率の集光レンズを用いて透過原稿を読取り、低倍率の集光レンズを用いて反射原稿を読取る。
【０００７】
しかしながら、倍率の異なる２個の集光レンズを切り換える構成のキャリッジにおいては、各集光レンズの結像位置が異なるため、両方の集光レンズで集束する光の結像位置をラインセンサ面に維持することは困難である。このため、一方の集光レンズで集束する光の結像位置をラインセンサ面に維持すると、他方の集光レンズで集束する光は結像位置をラインセンサ面に維持することができないという問題があった。
【０００８】
さらに、倍率の異なる２個の集光レンズは光路長が異なるため、ラインセンサに集光する集光レンズを切り換えた場合、光路長も切り換える必要があるという問題があった。
【０００９】
本発明は、上記の問題を解決するためになされたものであり、倍率の異なる複数個のレンズで集束する光の結像位置を光センサ面に維持するキャリッジおよびその調整方法を提供することを目的とする。
本発明の他の目的は、簡単な構造で光路長を切り換えることで体格を小型にし、搭載スペースを確保するキャリッジおよびそれを備えた画像読取装置を提供することにある。
【００１０】
【課題を解決するための手段】
本発明の請求項１記載のキャリッジによると、原稿面で反射あるいは原稿を透過した光を反射する第１のミラーと、第１のミラーの反射光を集光する第１のレンズと、原稿面で反射あるいは原稿を透過した光を第１のミラーとは異なる光路で反射する第２のミラーと、第１のレンズとは異なる倍率を有し第２のミラーの反射光を集光する第２のレンズと、光センサに集光するレンズを第１のレンズまたは第２のレンズに切り換える切換手段とを備えているので、第１のレンズまたは第２のレンズの倍率の高い方を用いて透過原稿を読取り、第１のレンズまたは第２のレンズの倍率の低い方を用いて反射原稿を読取ることができる。また、光センサ調整手段により光センサのハウジングに対する位置を調整し、光センサに集光するレンズを切換手段により第１のレンズまたは第２のレンズに切り換えた後、レンズ調整手段により第１のレンズまたは第２のレンズのハウジングに対する位置を調整することで、第１のレンズで集束する光と第２のレンズで集束する光の両方の結像位置を光センサ面に維持することができる。したがって、高倍率の透過原稿の画像、および低倍率の反射原稿の画像を光センサ面に結像させることにより、透過原稿を反射原稿よりも高解像度で読取ることができる。
【００１１】
本発明の請求項２記載のキャリッジによると、第１のミラーまたは第２のミラーはハウジングで移動可能な可動ミラーを有するので、光センサに集光するレンズを切換手段により第１のレンズまたは第２のレンズに切り換えるとき、可動ミラーを移動させることにより、簡単な構造で容易に光路長を切り換えることができる。したがって、キャリッジの体格を小型にし、搭載スペースを容易に確保することができる。
【００１２】
本発明の請求項３記載のキャリッジによると、第１のレンズおよび第２のレンズの一方または両方は光センサに集束される光の焦点を調整する焦点調整手段を有するので、第１のレンズで集束する光、および第２のレンズで集束する光の一方または両方の結像位置を高精度に光センサ面に維持することができる。
【００１３】
本発明の請求項４記載の画像読取装置によると、請求項１、２または３記載のキャリッジを備えているので、第１のレンズで集束する光、および第２のレンズで集束する光の両方の結像位置を光センサ面に維持することができる。したがって、高倍率の透過原稿の画像、および低倍率の反射原稿の画像を光センサ面に結像させて透過原稿を反射原稿よりも高解像度で読取るとともに、簡単な構造で製造コストを低減することができる。
【００１４】
本発明の請求項５記載のキャリッジの調整方法によると、光センサのハウジングに対する位置を調整し、光センサに集光するレンズを第１のレンズまたは第２のレンズに切り換え、第１のレンズまたは第２のレンズのハウジングに対する位置を調整するので、第１のレンズで集束する光、および第２のレンズで集束する光の両方の結像位置を光センサ面に維持することができる。したがって、高倍率の透過原稿の画像、および低倍率の反射原稿の画像を光センサ面に結像させることにより、透過原稿を反射原稿よりも高解像度で読取ることができる。
【００１５】
本発明の請求項６記載のキャリッジの調整方法によると、光センサのハウジングに対する位置を調整する前に、第１のレンズまたは第２のレンズのいずれか一方の光センサに集束される光の焦点を調整するので、第１のレンズまたは第２のレンズのいずれか一方で集束する光の結像位置を高精度に光センサ面に維持することができる。
【００１６】
本発明の請求項７記載のキャリッジの調整方法によると、第１のレンズまたは第２のレンズのハウジングに対する位置を調整する前に、第１のレンズまたは第２のレンズのいずれか他方の光センサに集束される光の焦点を調整するので、第１のレンズまたは第２のレンズのいずれか他方で集束する光の結像位置を高精度に光センサ面に維持することができる。
【００１７】
【発明の実施の形態】
以下、本発明の実施の形態を示す実施例を図面に基づいて詳細に説明する。
フラットベッド型の画像読取装置に本発明を適用した一実施例を図１〜図７に示す。
【００１８】
図５および図７に示すように、箱型の筐体２の上面には、ガラス等の透明板からなる原稿台３が設けられている。筐体２の内部には、図示しない駆動装置により原稿台３に載置された原稿５に平行に往復移動可能なキャリッジ６が設けられている。ここで、図５は反射原稿を読取る場合を示し、図７は透過原稿を読取る場合を示している。なお、説明を簡単にするため本明細書中に記載の原稿５は、紙などの反射原稿、ならびにポジフィルム、ネガフィルムなどの透過原稿の双方を含んでいる。
【００１９】
キャリッジ６には、光源６１と光センサとしてのラインセンサ６２とが搭載されている。図５に示すように、反射原稿を読取る場合、光源６１の照射光は原稿５の表面で反射され、可動ミラー６３、ミラー６５、６４および６６で反射した後、第１のレンズとしての集光レンズ６７によりラインセンサ６２に集光されるようになっている。反射原稿を読取る場合においては、原稿５からの光を可動ミラー６３、ミラー６５、ミラー６４、ミラー６６の順で反射させており、４つのミラーで光を４回反射させ原稿５から集光レンズ６７までの光路長を大きくしている。また図７に示すように、透過原稿を読取る場合、面光源６８の照射光は原稿５を透過し、可動ミラー６３、ミラー６４および６６で反射した後、第２のレンズとしての集光レンズ６９によりラインセンサ６２に集光されるようになっている。透過原稿を読取る場合においては、原稿５からの光を可動ミラー６３、ミラー６４、ミラー６６の順で反射させており、３つのミラーで光を３回反射させ原稿５から集光レンズ６７までの光路を形成している。光源６１と、可動ミラー６３と、ミラー６４、６５および６６と、集光レンズ６７および６９と、ラインセンサ６２とはハウジング５９に収容されている。ここで、可動ミラー６３、ミラー６５、６４および６６は第１のミラーを構成し、可動ミラー６３、ミラー６４および６６は第２のミラーを構成している。可動ミラー６３は、ミラー支点６０を中心として回動可能であるので、反射原稿を読取るときと、透過原稿を読取るときとで光路長を切り換えることができる。
【００２０】
光源６１は、キャリッジ６の移動方向に対し垂直に設けられており、蛍光ランプなどが用いられる。また面光源６８は、原稿台３の上方に設けられ、図示しない蛍光ランプから照射される光を図示しない導光板に刻まれた不均等な間隔の溝で反射することにより、原稿台３側へ一様な光として照射することが可能である。
【００２１】
ラインセンサ６２には、ＣＣＤ等の複数の画素をキャリッジ６の移動方向と垂直に直線的に配列した電荷蓄積型光センサが使用されている。原稿台３の周囲には、原稿５の読取り位置を位置決めし、原稿読取り時に原稿５の移動を規制する原稿ガイド４が設けられている。原稿台３のキャリッジ６移動方向の端部には、高反射率均一反射面を有する白基準３１が設けられている。
ラインセンサ６２では、各素子で集光された光の光量に応じた量の電荷が蓄積され、蓄積された電荷は信号処理装置７で処理される。
【００２２】
図６において、Ａ／Ｄ変換部１１は、増幅器１０を介して入力したラインセンサ６２からのデータをデジタル信号に変換してシェーディング補正部１２に渡すものである。シェーディング補正部１２は、読取り開始前に白基準３１を読取った白基準データと、あらかじめ記憶しておいた黒基準データとを用いて、ラインセンサ６２の素子毎の感度のばらつきや光源６１の主走査方向の光量のばらつきを補正する。ガンマ補正部１３では、所定のガンマ関数によりガンマ補正が行われ、シェーディング補正部１２から出力された光量信号を画像信号に変換する。その他の補正部１４では、色補正、エッジ強調および領域拡大／縮小等の諸変換を行う。
【００２３】
制御部１５は、ＣＰＵ、ＲＡＭおよびＲＯＭ等からなるマイクロコンピュータにより構成され、画像読取装置１全体の制御を行い、インターフェイス８を介して図示しない外部の画像処理装置、例えばパーソナルコンピュータ等に接続される。
【００２４】
次に、キャリッジ６について図１〜図４を用いて詳細に説明する。
図１〜図４は本実施例の画像読取装置のキャリッジ６を示している。図１および図３はキャリッジ６を原稿台３側から見た図であり、図２および図４はキャリッジ６の移動方向に対し側面から見た図である。矢印はキャリッジ６の移動方向を示している。ここで、図１および図２は反射原稿を読取る場合であり、図３および図４は透過原稿を読取る場合である。
【００２５】
図１および図３に示すように、集光レンズ６７と集光レンズ６９とは、それぞれメインレンズホルダ２０とサブレンズホルダ２１とに保持され、ハウジング５９内を光軸と直交する方向に一体に移動可能である。集光レンズ６９は、集光レンズ６７の整数倍の倍率、すなわち集光レンズ６７とは異なる倍率を有している。メインレンズホルダ２０はメイン軸受け２２および２３と、サブ軸受け２４とを有している。メイン軸受け２２および２３はメインガイド軸９０に案内されてメインガイド軸９０を摺動可能であり、サブ軸受け２４はサブガイド軸２５に案内されてサブガイド軸２５を摺動可能である。また、メインレンズホルダ２０は外周にヘリカルスプライン２０ａが形成されており、このヘリカルスプライン２０ａはギア５３と噛み合っている。ギア５３はウォームホイール５２と噛み合っており、ウォームホイール５２はハウジング５９に取付けられたモータ５０のウォーム５１と噛み合っている。モータ５０は例えばステッピングモータであり、モータ５０に通電されることによりウォーム５１、ウォームホイール５２、ギア５３およびヘリカルスプライン２０ａを介してメインレンズホルダ２０にモータ５０の駆動力を伝達することができる。したがって、集光レンズ６７と集光レンズ６９とは、メイン軸受け２２および２３と、サブ軸受け２４とがメインガイド軸９０とサブガイド軸２５とに案内されて円滑かつ安定に移動可能である。ここで、ウォーム５１、ウォームホイール５２、ギア５３、ヘリカルスプライン２０ａおよびモータ５０は切換手段を構成している。
【００２６】
メインレンズホルダ２０は、焦点調整手段としての焦点調整溝９１と、止めねじ９２とを外壁に有している。焦点調整溝９１は、ラインセンサ６２に集束される光の焦点を調整するためのものであり、焦点調整溝９１の溝幅に合わせた図示しない調整用ピンを焦点調整溝９１に挿入し、集光レンズ６７を光軸と平行な方向に移動させることで、集光レンズ６７で集束する光の結像位置をラインセンサ６２のセンサ面に維持することができる。そして、止めねじ９２により固定することで、焦点調整後の位置を保持することができる。
【００２７】
サブレンズホルダ２１は、メインレンズホルダ２０内に設けられており、焦点調整手段としての焦点調整溝９３と、止めねじ９４と、レンズ調整手段としてのレンズあおり穴９５と、支点９６と、ねじ９７とを外壁に有している。焦点調整溝９３は、ラインセンサ６２に集束される光の焦点を調整するためのものであり、焦点調整溝９３の溝幅に合わせた図示しない調整用ピンを焦点調整溝９３に挿入し、集光レンズ６９を光軸と平行な方向に移動させることで、集光レンズ６９で集束する光の結像位置をラインセンサ６２のセンサ面に維持することができる。そして、止めねじ９４により固定することで、焦点調整後の位置を保持することができる。またレンズあおり穴９５は、集光レンズ６９のハウジング５９に対する位置を調整するためのものであり、ラインセンサ６２に集束される光の焦点を微調整することができる。レンズあおり穴９５の穴径に合わせた図示しない調整用ピンをレンズあおり穴９５に挿入し、支点９６を中心として集光レンズ６９を微妙に回転させることで、集光レンズ６９で集束する光の結像位置をラインセンサ６２のセンサ面に高精度に維持することができる。そして、ねじ９７により固定することで、微調整後の位置を保持することができる。
【００２８】
ラインセンサ６２はＣＣＤ基板６２ａを有しており、ＣＣＤ基板６２ａは、光センサ調整手段としてのセンサあおり調整ブロック８０によりハウジング５９に対する角度調整が可能である。センサあおり調整ブロック８０は、ラインセンサ６２のハウジング５９に対する位置を調整するためのものであり、調整ねじ８１によりＣＣＤ基板６２ａの一辺を光軸に平行な方向に移動させ、止めねじ８２により固定することで、角度調整後の位置を保持することができる。
【００２９】
可動ミラー６３はミラー支点６０に支持されており、ミラー支点６０に取付けられるギア７５はギア７４と噛み合っている。ギア７４はギア７３と噛み合っており、ギア７３はウォームホイール７２と噛み合っている。ウォームホイール７２はハウジング５９に取付けられたモータ７０のウォーム７１と噛み合っている。モータ７０は例えばステッピングモータであり、モータ７０に通電されることによりウォーム７１、ウォームホイール７２、ギア７３、ギア７４およびギア７５を介してミラー支点６０を中心として可動ミラー６３を回動させることができる。
【００３０】
パーソナルコンピュータを用いて画像読取装置１に指示する場合、画像読取装置１はパーソナルコンピュータにインストールされている例えばＴＷＡＩＮなどのスキャナドライバなどのソフトウェアにより制御される。使用者がパーソナルコンピュータで起動しているＴＷＡＩＮ上で透過原稿の読取りを選択すると、透過原稿選択コマンドに対応してモータ５０および７０に通電され、ウォーム５１、ウォームホイール５２、ギア５３およびヘリカルスプライン２０ａを介してメインレンズホルダ２０が駆動され、集光レンズ６７と集光レンズ６９とが切り換えられて図１に示す状態から図３に示す状態になる。またウォーム７１、ウォームホイール７２、ギア７３、ギア７４およびギア７５を介して可動ミラー６３がミラー支点６０を中心として回動され、光路が切り換えられて図２に示す状態から図４に示す状態になる。
【００３１】
次に、上記のように構成されたキャリッジ６の調整方法について説明する。
１．  モータ５０に通電し、図１および図２に示すように、集光レンズ６７をキャリッジ６の略中心、すなわち光路上に移動する。メインレンズホルダ２０の焦点調整溝９１に調整用ピンを挿入し、集光レンズ６７を光軸と平行な方向に移動させて集光レンズ６７で集光する光の結像位置をラインセンサ６２のセンサ面に合わせ、止めねじ９２で固定して焦点調整位置を保持する。
【００３２】
２．  集光レンズ６７の光軸とラインセンサ６２のセンサ面との直角度を出すため、センサあおり調整ブロック８０の調整ねじ８１によりＣＣＤ基板６２ａの角度調整を行い、止めねじ８２で固定して直角度を保持する。
【００３３】
３．  モータ５０および７０に通電し、図３に示すように、集光レンズ６９をキャリッジ６の略中心、すなわち光路上に移動するとともに、図４に示すように、ミラー支点を中心として可動ミラー６３を回動させて光路長を切り換える。サブレンズホルダ２１の焦点調整溝９３に調整用ピンを挿入し、集光レンズ６９を光軸と平行な方向に移動させて集光レンズ６９で集光する光の結像位置をラインセンサ６２のセンサ面に合わせ、止めねじ９４で固定して焦点調整位置を保持する。
【００３４】
４．  このとき、集光レンズ６９の光軸とラインセンサ６２のセンサ面との直角度を出すためにセンサあおり調整ブロック８０によりＣＣＤ基板６２ａの角度調整を行うと、集光レンズ６７の光軸とラインセンサ６２のセンサ面との直角度が狂ってしまう。そこで、サブレンズホルダ２１のレンズあおり穴９５に調整用ピンを挿入し、支点９６を中心として集光レンズ６９を微妙に回転させて集光レンズ６９で集束する光の結像位置をラインセンサ６２のセンサ面に高精度に維持し、ねじ９７で固定して微調整後の位置を保持する。
【００３５】
次に、上記の１．〜４．の調整方法により調整された画像読取装置１の動作を説明する。
(1) 使用者は、画像読取装置１のインターフェイス８に図示しないパーソナルコンピュータを接続し、原稿台３に原稿５を置いて、パーソナルコンピュータから原稿５の読取り範囲や読取り解像度を指定して読取りの実行を指示する。このとき、使用者は読取る原稿が反射原稿か透過原稿かをあわせて指示する。
【００３６】
(2) 読取りの実行が指示されると、制御部１５は光源６１または面光源６８を点灯させ、キャリッジ６を一定速度で各読取りライン位置に順次移動させる。これにより、各読取りライン位置において、原稿５の反射率（濃淡）あるいは透過率に比例した量の電荷（信号電荷）がラインセンサ６２に蓄積される。
【００３７】
(3) ラインセンサ６２に蓄積された電荷は、所定時間経過後に増幅器１０に出力され、ラインセンサ６２は次の読取りライン位置に移動する。
(4) 増幅器１０からの出力信号は、Ａ／Ｄ変換部１１によりデジタルの光量信号データに変換され、シェーディング補正部１２、ガンマ補正部１３およびその他の補正部１４で各種の補正が行われ、インターフェイス８を介しパーソナルコンピュータなどに出力される。
【００３８】
(5) キャリッジ６が一定速度で移動しつつ、各読取りラインで上記(2)〜(4)の処理を繰り返すことにより、指定した範囲の画像がパーソナルコンピュータなどに出力される。
【００３９】
以上説明した本発明の一実施例においては、メインレンズホルダ２０の焦点調整溝９１により集光レンズ６７で集光する光の結像位置をラインセンサ６２のセンサ面に合わせ、センサあおり調整ブロック８０により集光レンズ６７の光軸とラインセンサ６２のセンサ面との直角度を出し、集光レンズ６７と集光レンズ６９とを切り換えた後、サブレンズホルダ２１の焦点調整溝９３により集光レンズ６９で集光する光の結像位置をラインセンサ６２のセンサ面に合わせ、レンズあおり穴９５により微調整を行う。このため、集光レンズ６７で集束する光と集光レンズ６９で集束する光の両方の結像位置をラインセンサ６２のセンサ面に高精度に維持することができる。したがって、モータ５０に通電することにより集光レンズ６７と集光レンズ６９とを切り換えることで、透過原稿を反射原稿よりも高解像度で読取ることができる。
【００４０】
さらに本実施例においては、可動ミラー６３はミラー支点６０を中心として回動可能であるので、モータ７０に通電することにより反射原稿を読取るときと、透過原稿を読取るときとで光路長を容易に切り換えることができる。このため、集光レンズ６７と集光レンズ６９とを切り換えるとき、可動ミラー６３を回動させることにより、簡単な構造で容易に光路長を切り換えることができる。したがって、キャリッジ６の体格を小型にし、搭載スペースを容易に確保することができる。
【００４１】
以上説明した本発明の一実施例では、サブレンズホルダ２１にレンズあおり穴９５を形成し、集光レンズ６７で集束する光の結像位置をラインセンサ６２のセンサ面に維持した後、集光レンズ６９で集束する光の結像位置をラインセンサ６２のセンサ面に維持する構成の画像読取装置１に本発明を適用したが、メインレンズホルダ２０にレンズあおり穴を形成し、集光レンズ６９で集束する光の結像位置をラインセンサ６２のセンサ面に維持した後、集光レンズ６７で集束する光の結像位置をラインセンサ６２のセンサ面に維持する構成の画像読取装置に本発明を適用することが可能なことはいうまでもない。
【図面の簡単な説明】
【図１】本発明の一実施例による画像読取装置の反射原稿を読取る場合のキャリッジを示す概略図である。
【図２】本発明の一実施例による画像読取装置の反射原稿を読取る場合のキャリッジを示す概略図である。
【図３】本発明の一実施例による画像読取装置の透過原稿を読取る場合のキャリッジを示す概略図である。
【図４】本発明の一実施例による画像読取装置の透過原稿を読取る場合のキャリッジを示す概略図である。
【図５】本発明の一実施例による画像読取装置の反射原稿を読取る場合を示す模式図である。
【図６】本発明の一実施例による画像読取装置を示すブロック図である。
【図７】本発明の一実施例による画像読取装置の透過原稿を読取る場合を示す模式図である。
【符号の説明】
１    画像読取装置
３    原稿台
６    キャリッジ
２０    メインレンズホルダ
２０ａ  ヘリカルスプライン（切換手段）
２１    サブレンズホルダ
５０    モータ（切換手段）
５１    ウォーム（切換手段）
５２    ウォームホイール（切換手段）
５３    ギア（切換手段）
５９    ハウジング
６１    光源
６２    ラインセンサ（光センサ）
６３    可動ミラー
６４、６５、６６    ミラー
６７    集光レンズ（第１のレンズ）
６８    面光源
６９    集光レンズ（第２のレンズ）
８０    センサあおり調整ブロック（光センサ調整手段）
９１、９３    焦点調整溝（焦点調整手段）
９５    レンズあおり穴（レンズ調整手段）
【図１】
0004089136.tif 000002
【図２】
0004089136.tif 000003
【図３】
0004089136.tif 000004
【図４】
0004089136.tif 000005
【図５】
0004089136.tif 000006
【図６】
0004089136.tif 000007
【図７】
0004089136.tif 000008